(57)【要約】【課題】ユニットバスと隣接する居住空間を消火するために、省施工でかつ接続部からの漏水の恐れが低いスプリンクラー設備を提供する。【解決手段】スプリンクラー部と、便器乃至洗面水栓等と、給水ヘッダーと、スプリンクラーヘッド部へ給水する第一給水管と、第一給水管に接続する第一接続ジョイントと、給水ヘッダーへ給水する第二給水管と、便器乃至洗面水栓等へ給水するための第三給水配管と、第三給水配管と前記便器乃至洗面水栓等とを接続する第二接続ジョイントとを有するユニットバスにおいて、施工現場搬送時には、第一接続ジョイント、第一給水管、スプリンクラーヘッド取り付け具、第二給水管、給水ヘッダー、第三給水管および第二接続ジョイントが連続して水密に接続され、施工現場において、第一接続ジョイントと配水管とが、第二接続ジョイントと便器乃至洗面水栓等とが接続可能であることを特徴とするスプリンクラー設備とした。【選択図】  図１
2004337383.tif 000002
【特許請求の範囲】
【請求項１】
スプリンクラーヘッドおよびスプリンクラーヘッド取り付け具とからなるスプリンクラー部と、
ユニットバス内に設置される便器、洗面水栓乃至はシャワー水栓と、
前記便器、洗面水栓乃至はシャワー水栓に給水するための給水ヘッダーと、
上水道から分岐した配水管より前記スプリンクラーヘッド取り付け具へ給水する第一給水管と
前記配水管と第一給水管を接続する第一接続ジョイントと、
前記スプリンクラーヘッド取り付け具を経て前記給水ヘッダーへ給水する第二給水管と、
前記給水ヘッダーを経て前記便器、洗面水栓乃至はシャワー水栓へ給水するための第三給水配管と
前記第三給水配管と前記便器、洗面水栓乃至はシャワー水栓とを接続する第二接続ジョイントとを有するユニットバスにおいて、
施工現場搬送時には、前記第一接続ジョイント、前記第一給水管、前記スプリンクラーヘッド取り付け具、前記第二給水管、前記給水ヘッダー、前記第三給水管および前記第二接続ジョイントが連続して水密に接続され、
施工現場において、前記第一接続ジョイントと前記配水管とが、前記第二接続ジョイントと前記便器、洗面水栓乃至はシャワー水栓とが接続可能であることを特徴とするスプリンクラー設備。
【請求項２】
前記スプリンクラーヘッド取り付け具が、施工現場搬送時には、前記ユニットバスの壁または天井の何れか一面に固定されていることを特徴とする請求項１に記載のスプリンクラー設備。
【発明の詳細な説明】
【０００１】
【発明の属する技術分野】
本発明は、ユニットバスと隣接する居住空間を消火するスプリンクラー設備に関する。
【０００２】
【従来の技術】
従来、住宅用等のスプリンクラー消火設備では、上水道から分岐した配水管にスプリンクラーヘッドを設置した簡易なシステムがある。このようなシステムでは、スプリンクラー配管を住宅等の天井裏に配置されている。また、より効率的に消火できるようにスプリンクラーヘッドの構造も工夫が懲らされている。
【０００３】
また、ホテルの客室や福祉施設の宿泊棟などでは、上水道が配管された浴室と火災が発生しやすい居住空間が隣接する形態をとるのが一般になっており、特に浴室はユニットバス化し、簡易工事により設置可能なものとなっている。
【０００４】
従来の住宅用スプリンクラー配管の１例として、図７にその概略図を示す。
図７において、スプリンクラーヘッド１０４は部屋の天井面に設置され、スプリンクラーヘッド１０４へ水を給水するためのスプリンクラー配管１０１は水道配管１０２から分岐し、天井裏を通してスプリンクラーヘッド１０４へ水を供給するように構成されている（例えば、特許文献１参照。）。
【０００５】
また、スプリンクラーヘッドの散水範囲を拡大したものとして、図８に示すように壁面に取り付けられる水平散水型のスプリンクラー設備も開示されている。
【０００６】
図８は水平散水型のスプリンクラーヘッドの断面図である。
図８において、水平散水型のスプリンクラーヘッド１１２は部屋の壁１１１の上部に取り付けられ、スプリンクラー配管１１３により給水されている。ホテルなどの客室にスプリンクラーヘッド１１２を設置する場合は、スプリンクラー配管１１３はユニットバスの天井裏のスペースを通して設置されている（例えば、特許文献２参照。）。
【０００７】
【特許文献１】
特開平５−２５３３１７号公報（第４頁、図１）
【特許文献２】
特開２００１−３４０４８７号公報（第５頁、図１）
【０００８】
【発明が解決しようとする課題】
しかしながら、前述したホテルの客室や福祉施設の宿泊棟などでは、ホテルなどにおいてはユニットバスの天井裏のスペースに、また、居室の天井裏のスペースにスプリンクラー配管の工事を行う必要がある。
通常の工事では、まずユニットバスや天井面等の工事が完了した後、スプリンクラー配管が行われることが多い。このように作業性の悪い場所での配管工事は手間がかかり、場合によっては施工品質が保てず、接続部から漏水する可能性が高くなるという問題点があった。
【０００９】
本発明は上記課題を解決するためになされたもので、本発明の目的は、ユニットバスと隣接する居住空間を消火するために、省施工でかつ接続部からの漏水の恐れが低いスプリンクラー設備を提供することにある。
【００１０】
【課題を解決するための手段】
上記目的を達成するために請求項１では、スプリンクラーヘッドおよびスプリンクラーヘッド取り付け具とからなるスプリンクラー部と、ユニットバス内に設置される便器、洗面水栓乃至はシャワー水栓と、前記便器、洗面水栓乃至はシャワー水栓に給水するための給水ヘッダーと、上水道から分岐した配水管より前記スプリンクラーヘッド取り付け具へ給水する第一給水管と、前記配水管と第一給水管を接続する第一接続ジョイントと、前記スプリンクラーヘッド取り付け具を経て前記給水ヘッダーへ給水する第二給水管と、前記給水ヘッダーを経て前記便器、洗面水栓乃至はシャワー水栓へ給水するための第三給水配管と、前記第三給水配管と前記便器、洗面水栓乃至はシャワー水栓とを接続する第二接続ジョイントとを有するユニットバスにおいて、施工現場搬送時には、前記第一接続ジョイント、前記第一給水管、前記スプリンクラーヘッド取り付け具、前記第二給水管、前記給水ヘッダー、前記第三給水管および前記第二接続ジョイントが連続して水密に接続され、施工現場において、前記第一接続ジョイントと前記配水管とが、前記第二接続ジョイントと前記便器、洗面水栓乃至はシャワー水栓とが接続可能であることを特徴とするスプリンクラー設備とした。
【００１１】
これにより、スプリンクラー設備への給水配管とユニットバス内の便器、洗面水栓乃至はシャワー水栓等の給水器具への給水配管をセット化することができるため、ホテルなどの客室や福祉施設の宿泊棟に使用する場合にスプリンクラー設備を一室単位で接続して出荷することができる。その結果、現場でのスプリンクラー配管工事が不要となり省施工を実現できる。さらには工場製造時の品質を保つことができ漏水の可能性を低くすることができる。
【００１２】
請求項２では、請求項１に記載のスプリンクラー設備において、前記スプリンクラーヘッド取り付け具が、施工現場搬送時には、ユニットバスの壁または天井の何れか一面に固定されるようにした。
【００１３】
よって、施工現場でのスプリンクラー取り付け具の固定工事が不要となりさらに省施工を実現できる。。
【００１４】
【発明の実施の形態】
以下、本発明の実施の形態を、図面により詳細に説明する。
【００１５】
図１は本発明の実施例を示す略図である。この例ではホテルの客室を例に示している。
【００１６】
図１において、ユニットバス１４内には浴槽１３、シャワー水栓１２、便器１０、洗面水栓１１が備えられている。
配水管１から分岐した給水管１７は開閉バルブ２を備えており、その下流に第一接続ジョイント１６ａ、第一給水管３、スプリンクラー部４、第二給水管５、給水ヘッダー６を備える。給水ヘッダー６はその下流で、便器１０への第三給水管７、洗面水栓１１への第三給水管８、シャワー水栓１２への第三給水管９に分岐している。スプリンクラー部４はユニットバス１４の天井面に取り付けられており、その先端のスプリンクラーヘッドは客室内に突出されている。
【００１７】
図２は本発明の実施例を示す詳細図である。図１のスプリンクラー部４周りを詳しく図示している。図２において、スプリンクラー部４はスプリンクラーヘッド４ａ、アジャスター部４ｂ、スプリンクラー取り付け具４ｃから成る。アジャスター部４ｂは、ネジ込み式の構造を採用しており、ユニットバス側壁２３と客室壁１５との間隔ａ寸法に基づき、現場で調整できるようになっている。客室の天井高さは一般的に２．４ｍ以上確保されており、一般的な浴室の天井高さ２．１ｍに比べ高くなっている。よって、そのスペースを利用してスプリンクラー設備が取り付けられている。
【００１８】
図３は図２に示す本発明の実施例を上部から俯瞰した詳細図である。
図３において、給水管３は下流のコの字型をしたスプリンクラー取り付け具４ｃに接続されており、図１でも説明したようにスプリンクラー取り付け具４ｃの下流には給水ヘッダー６が第二給水管５を介して接続されている。給水ヘッダー６からは便器１０への第三給水管７、洗面水栓１１への第三給水管８、シャワー水栓１２への第三給水管９に分岐し、建築構造壁２５とユニットバスの側壁との間に引き込まれて設置されている。
【００１９】
図４は、本発明のスプリンクラー設備の施工現場搬送時での外観図である。
第一接続ジョイント１６ａ、第一給水管３、スプリンクラー部４（４ａ、４ｂ、４ｃ）、第二給水管５、給水ヘッダー６、便器１０への第三給水管７、洗面水栓１１への第三給水管８、シャワー水栓１２への第三給水管９、および第二接続ジョイント１６ｂをあらかじめ工場出荷時に、つまり施工現場搬送時には接続し、水密検査した上で出荷することで、施工現場での作業を容易にすることができる。
施工現場ではユニットバス天井面２２を組み付ける前にスプリンクラー設備をユニットバス天井面２２に取り付け、その後、天井面を組み付けるようにすればユニットバス天井面２２と建物の構造体２１の間の狭い場所で工事をする必要がなくなる。
また、ホテルなどの客室や福祉施設の宿泊棟に使用する場合にスプリンクラー設備を一室単位で接続して出荷することができる。
【００２０】
図５は、本発明のスプリンクラー設備における別の実施形態における施工現場搬送時での外観図である。
図４との違いは、スプリンクラー設備をさらにユニットバス天井面２２に取り付けている点である。つまり、施工現場搬送時には、第一接続ジョイント１６ａ、第一給水管３、スプリンクラー部４（４ａ、４ｂ、４ｃ）、第二給水管５、給水ヘッダー６、便器１０への第三給水管７、洗面水栓１１への第三給水管８、シャワー水栓１２への第三給水管９および第二接続ジョイント１６ｂがユニットバス天井面２２に取り付けられており、施工現場でのスプリンクラー設備の取り付け工事も減らすことができる。
【００２１】
ここで、給水配管、スプリンクラー部、給水ヘッダー等の天井面への取り付け金具については図示を省略しているが、ネジ、接着剤等を用いることで簡単に取り付けることができる。なお、第一給水管３、第二給水管５、及び第三給水管７、８、９は可とう性を有する樹脂配管を採用することで、施工現場搬送時に天井壁面からはみ出る部分は、図示したようにロール上に巻いて出荷するようにすればよい。また、スプリンクラーヘッド４ａについては破損防止等の目的から施工現場搬送時に取り付けるのではなく施工現場にて取り付けるようにしても構わない。
【００２２】
図６は本発明のさらに別の実施形態を示す詳細図である。図２、図３との相違点はスプリンクラー取り付け具４ｃがユニットバス側壁２３に取り付けられている点である。
この場合、施工現場搬送時には、第一接続ジョイント１６ａ、第一給水管３、スプリンクラー部４、第二給水管５、第三給水管７、８、９が接続された給水ヘッダー６、及び第二接続ジョイント１６ｂがユニットバス天井面２２に取り付けされており、スプリンクラー取り付け具４ｃのみ現場での施工時にユニットバス側壁２３に取り付けることになる。
【００２３】
【発明の効果】
以上より、本発明によれば次の効果を有することができる。
【００２４】
請求項１では、スプリンクラーヘッドおよびスプリンクラーヘッド取り付け具とからなるスプリンクラー部と、ユニットバス内に設置される便器、洗面水栓乃至はシャワー水栓と、前記便器、洗面水栓乃至はシャワー水栓に給水するための給水ヘッダーと、上水道から分岐した配水管より前記スプリンクラーヘッド取り付け具へ給水する第一給水管と、前記配水管と第一給水管を接続する第一接続ジョイントと、前記スプリンクラーヘッド取り付け具を経て前記給水ヘッダーへ給水する第二給水管と、前記給水ヘッダーを経て前記便器、洗面水栓乃至はシャワー水栓へ給水するための第三給水配管と、前記第三給水配管と前記便器、洗面水栓乃至はシャワー水栓とを接続する第二接続ジョイントとを有するユニットバスにおいて、施工現場搬送時には、前記第一接続ジョイント、前記第一給水管、前記スプリンクラーヘッド取り付け具、前記第二給水管、前記給水ヘッダー、前記第三給水管および前記第二接続ジョイントが連続して水密に接続され、施工現場において、前記第一接続ジョイントと前記配水管とが、前記第二接続ジョイントと前記便器、洗面水栓乃至はシャワー水栓とが接続可能であるようにした。
【００２５】
これにより、スプリンクラー設備への給水配管とユニットバス内の便器、洗面水栓乃至はシャワー水栓等の給水器具への給水配管をセット化することができるため、ホテルなどの客室や福祉施設の宿泊棟に使用する場合にスプリンクラー設備を一室単位で接続して出荷することができる。その結果、現場でのスプリンクラー配管工事が不要となり省施工を実現できる。さらには工場製造時の品質を保つことができ漏水の可能性を低くすることができる。
【００２６】
請求項２では、請求項１に記載のスプリンクラー設備において、前記スプリンクラーヘッド取り付け具が、施工現場搬送時には、ユニットバスの壁または天井の何れか一面に固定されるようにした。
【００２７】
よって、施工現場でのスプリンクラー取り付け具の固定工事が不要となりさらに省施工を実現できる。
【図面の簡単な説明】
【図１】本発明の実施例を示す略図
【図２】本発明の実施例を示す詳細図
【図３】本発明の実施例を上部から俯瞰した詳細図
【図４】本発明のスプリンクラー設備の施工現場搬送時の外観図
【図５】本発明のスプリンクラー設備の別の実施形態における施工現場搬送時の外観図
【図６】本発明のさらに別の実施形態を示す詳細図
【図７】従来のスプリンクラー設備の設置図
【図８】水平散水型のスプリンクラー設備の断面図
【符号の説明】
１：配水管
２：開閉バルブ
３：第一給水管
４：スプリンクラー部
４ａ：スプリンクラーヘッド
４ｂ：アジャスター部
４ｃ：スプリンクラー取り付け具
５：第二給水管
６：給水ヘッダー
７、８、９：第三給水管
１０：便器
１１：洗面水栓
１２：シャワー水栓
１３：浴槽
１４：ユニットバス
１５：客室壁
１６ａ：第一接続ジョイント
１６ｂ：第二接続ジョイント
１７：給水管
２０：客室の天井
２１：建物の構造体
２２：ユニットバス天井面
２３：ユニットバス側壁
２５：建築構造壁
【図１】
2004337383.tif 000003
【図２】
2004337383.tif 000004
【図３】
2004337383.tif 000005
【図４】
2004337383.tif 000006
【図５】
2004337383.tif 000007
【図６】
2004337383.tif 000008
【図７】
2004337383.tif 000009
【図８】
2004337383.tif 000010